(57)【要約】【課題】足場板上での作業の安全性を高めるための枠組足場用手摺りを提供する。【解決手段】左右の縦材２，２と両縦材２，２をつなぐ横材３とからなる建枠１によって組み立てる枠組足場に使用される手摺りである。この手摺りは、建枠１の縦材２に添うように着脱自在に取り付けられる手摺りホルダー７と、建枠１，１に取り付けた手摺りホルダー７，７間に掛け渡される手摺り杆８とからなり、手摺りホルダー７の上下端部７ａ，７ｂには、建枠１の縦材２の上下端部に突設された交差筋違い取付用ロックピン９に嵌挿可能なピン嵌挿孔１０を設け、上端部側ピン挿通孔１０と下端部側ピン挿通孔１０との中間所要部位に手摺り杆取付用ロックピン１１を突設し、手摺り杆８の両端部には、手摺りホルダー７の手摺り杆取付用ロックピン１１に嵌挿可能なピン嵌挿孔１２を設ける。【選択図】図２
2007224574.tif 000002
【特許請求の範囲】
【請求項１】
左右の縦材と両縦材をつなぐ横材とからなる建枠によって組み立てる枠組足場に使用される手摺りであって、
建枠の縦材に添うように着脱自在に取り付けられる手摺りホルダーと、建枠に取り付けた手摺りホルダー間に水平に掛け渡される手摺り杆とからなり、
手摺りホルダーにはその上下端部に、建枠の縦材の上下端部に突設された交差筋違い取付用ロックピンに嵌挿可能なピン嵌挿孔を設けると共に、上端部側ピン挿通孔と下端部側ピン挿通孔との中間所要部位に手摺り杆取付用ロックピンを突設し、手摺り杆の両端部には、手摺りホルダーの手摺り杆取付用ロックピンに嵌挿可能なピン嵌挿孔を設けてなることを特徴とする枠組足場用手摺り。
【請求項２】
手摺りホルダーの手摺り杆取付用ロックピンは、手摺りホルダーの上下複数箇所に突設してなる請求項１に記載の枠組足場用手摺り。
【請求項３】
手摺りホルダーのピン嵌挿孔は、手摺りホルダーの上下各端部の上下複数個所に設けてなる請求項１又は２に記載の枠組足場用手摺り。
【請求項４】
夫々ピン嵌挿孔を設けた手摺りホルダーの上端部と下端部との中間部付近は、建枠の縦材と横材とに亘って設けられている補強材に当接しないように湾曲した形状となっている請求項１〜３の何れかに記載の枠組足場用手摺り。
【請求項５】
手摺りホルダーは、１枚の金属帯状プレート材を曲げ加工することにより形成してなる請求項４に記載の枠組足場用手摺り。
【発明の詳細な説明】
【技術分野】
【０００１】
本発明は、建設作業現場において、左右の一対の縦材と両縦材をつなぐ横材とからなる建枠によって組み立てる枠組足場に使用される手摺りに関するものである。
【背景技術】
【０００２】
図７の(b) は従来の枠組足場の一部を示すもので、この枠組足場の組立にあたっては、左右一対の縦材２，２と両縦材２，２をつなぐ横材３とからなる建枠１を一定間隔おきに対向配置して、隣り合う両建枠１，１の対向する両縦材２，２間に交差筋違い５，５を掛張し、両建枠１，１の対向する両横材３，３間に足場板６を掛け渡しながら、建枠１を上方に継ぎ足して、順次多段状に枠組足場を組み立ててゆく。このように組み立てられる枠組足場では、交差筋違い５が手摺り代わりとなって、足場板６上での作業の安全を図ることができる。
【発明の開示】
【発明が解決しようとする課題】
【０００３】
しかし、交差筋違い５は、図７の(b) から分かるように、その下方部が足場板６との間で略々三角形に開口された状態となっているため、作業者が足場板６の上で中腰になって作業をするような場合に、その三角形の開口部から誤って墜落する危険性がある。
【０００４】
本発明は、上記の課題に鑑み、足場板上で作業者が行なう作業の安全性を高めるための枠組足場用手摺りを提供することを目的とする。
【課題を解決するための手段】
【０００５】
上記課題を解決するための手段を、後述する実施形態の参照符号を付して説明すると、請求項１に係る発明は、左右の縦材２，２と両縦材２，２をつなぐ横材３とからなる建枠１によって組み立てる枠組足場に使用される手摺りであって、
建枠１の縦材２に添うように着脱自在に取り付けられる手摺りホルダー７と、建枠１，１に取り付けた手摺りホルダー７，７間に水平に掛け渡される手摺り杆８とからなり、
手摺りホルダー７にはその上下端部７ａ，７ｂに、建枠１の縦材２の上下端部に突設された交差筋違い取付用ロックピン９に嵌挿可能なピン嵌挿孔１０を設けると共に、上端部側ピン挿通孔１０と下端部側ピン挿通孔１０との中間所要部位に手摺り杆取付用ロックピン１１を突設し、手摺り杆８の両端部には、手摺りホルダー７の手摺り杆取付用ロックピン１１に嵌挿可能なピン嵌挿孔１２を設けてなることを特徴とする。
【０００６】
請求項２は、請求項１に記載の枠組足場用手摺りにおいて、手摺りホルダー７の手摺り杆取付用ロックピン１１は、手摺りホルダー７の上下複数箇所に突設してなることを特徴とする。
【０００７】
請求項３、請求項１又は２に記載の枠組足場用手摺りにおいて、手摺りホルダー７のピン嵌挿孔１０は、手摺りホルダー７の上下各端部７ａ，７ｂの上下複数個所に設けてなることを特徴とする。
【０００８】
請求項４は、請求項１〜３の何れかに記載の枠組足場用手摺りにおいて、夫々ピン嵌挿孔１０を設けた手摺りホルダー７の上端部７ａと下端部７ｂとの中間部付近は、建枠１の縦材２と横材３とに亘って設けられている補強材４，４ａに当接しないように湾曲した形状となっていることを特徴とする。
【０００９】
請求項５は、請求項４に記載の枠組足場用手摺りにおいて、手摺りホルダー７は、１枚の金属帯状プレート材を曲げ加工することにより形成してなることを特徴とする。
【発明の効果】
【００１０】
上記解決手段による発明の効果を、後述する実施形態の参照符号を付して説明すると、請求項１に係る枠組足場用手摺りによれば、両建枠１，１間に掛張される交差筋違い５，５を併用した時に、隣り合う建枠１，１の手摺りホルダー７，７間に手摺り杆８を水平に掛け渡して枠組足場用手摺りＴを取り付けることにより、交差筋違い５，５の下方部に形成される略三角形の開口部から作業者が誤って墜落するおそれがなく、足場板６上で作業者が行なう作業の安全性を高めることができる。
【００１１】
また、この枠組足場用手摺りＴは、建枠１の縦材２に添うように着脱自在に取り付けられる手摺りホルダー７と、建枠１，１に取り付けた手摺りホルダー７，７間に水平に掛け渡される手摺り杆８とからなり、手摺りホルダー７の上下端部７ａ，７ｂには建枠１の縦材２の上下端部に突設された交差筋違い取付用ロックピン９に嵌挿可能なピン嵌挿孔１０を設け、上端部側ピン挿通孔１０と下端部側ピン挿通孔１０の中間所要部位に手摺り杆取付用ロックピン１１を突設し、手摺り杆８の両端部に、手摺りホルダー７の手摺り杆取付用ロックピン１１に嵌挿可能なピン嵌挿孔１２を設けてなるもので、部品点数が少なく、構造が簡単であるから、製作コストが安い上、取付けが容易で、作業性が非常に良い。
【００１２】
請求項２に係る枠組足場用手摺りによれば、手摺りホルダー７の手摺り杆取付用ロックピン１１を手摺りホルダー７の上下複数箇所に突設することにより、手摺り杆８を複数段に取り付けることができて、作業の安全性を一層高めることができる。
【００１３】
請求項３に係る枠組足場用手摺りによれば、手摺りホルダー７のピン嵌挿孔１０を、手摺りホルダー７の上下各端部７ａ，７ｂの上下複数個所に設けることにより、ロックピン取付位置の異なる２種類以上の建枠１に適用可能となる。
【００１４】
請求項４に係る枠組足場用手摺りによれば、手摺りホルダー７の取付時に、建枠１の縦材２と横材３とに亘って設けられている補強材４，４ａに当接することがなく、手摺りホルダー７を建枠１の縦材２に的確に取り付けることができる。
【００１５】
請求項５に係る枠組足場用手摺りによれば、金属帯状プレート材を曲げ加工して形成する場合には、図４に示すように鋼板を切断加工して形成する場合に比べると、製作コストを格段に安くすることができる。
【発明を実施するための最良の形態】
【００１６】
以下に本発明の好適な実施形態を図面に基づいて説明すると、図１は本発明に係る枠組足場用手摺りＴを枠組足場の隣り合う建枠１，１間に取り付けた状態を足場の内側から見た正面図であり、図２は図１の一部拡大正面図、図３は図２のＶ−Ｖ線断面図であって、枠組足場用手摺りＴは、各建枠１の縦材２の内側面に添うように着脱自在に取り付けられる手摺りホルダー７と、隣り合う建枠１，１に取り付けられた手摺りホルダー７，７間に上下２段に夫々水平に掛け渡される手摺り杆８，８と、から構成される。
【００１７】
各建枠１は、図７の(b) によって説明した従来のものと同様に、左右一対の縦材２，２と両縦材２，２をつなぐ横材３とからなるもので、図３に示すように各縦材２と横材３との間に亘って略々Ｌ字状の補強材４が取り付けられると共に、補強材４と縦材２との間に他の補強材４ａが介装され、そして各左右縦材２には内側面の上下両端部に、交差筋違い取付用ロックピン９，９が突設されている。
【００１８】
図４の(a) は手摺りホルダー７の拡大正面図、(b) は側面図、(c) は(a) の矢印イで示す部分の拡大図、(d) は(b) の矢印ロで示す部分の拡大図である。ここに例示する手摺りホルダー７は、所要厚さの鋼板を(a) に示すような所定形状に切断加工して形成されたものである。この手摺りホルダー７にはその上下各端部７ａ，７ｂに、建枠１の縦材２の上下端部に突設してある交差筋違い取付用ロックピン９に嵌挿可能なピン嵌挿孔１０が上下に２つずつ設けられており、また手摺りホルダー７の上下長さ方向中央部位と、下端部側ピン嵌挿孔１０の上部側部位とに、手摺り杆取付用ロックピン１１，１１が突設されている。
【００１９】
また、各手摺り杆８は、交差筋違い５とは長さが違うだけで、それと同じ構造であり、両端部が夫々交差筋違い５と同様に扁平状に形成されていて、その扁平端部には、手摺りホルダー７の手摺り杆取付用ロックピン１１に嵌挿可能なピン嵌挿孔１２が設けられている。
【００２０】
また手摺りホルダー７は、夫々ピン嵌挿孔１１の設けられたホルダー上端部７ａ及び下端部７ｂを除く中間部７ｃ付近が、建枠１の縦材２と横材３に亘って設けられている補強材４，４ａに当接しないように、湾曲状に形成されている。即ち、手摺りホルダー７は、建枠１の縦材２の内側面に添うように取り付けられるものであって、製作の容易さから言えば、縦材２に沿って直線状に延びるように形成されるのが好ましいが、図３から分かるように、縦材２の内側面には補強材４，４ａが突設されていることから、この補強材４，４ａに当接しないように手摺りホルダー７の中間部７ｃ付近が上下両端部７ａ，７ｂに対し側方へ湾曲して、補強材４，４ａに当たるのを回避した形状となっている。
【００２１】
尚、手摺りホルダー７の上下長さ方向中央部位に設けられる手摺り杆取付用ロックピン１１は、手摺りホルダー７の下端部７ｂ側にあるロックピン１１とともに上端部７ａ側のピン嵌挿孔１０と下端部７ｂ側のピン嵌挿孔１０とを結ぶ直線Ｇ上に設ける必要があるために、側方へ湾曲した中間部７ｃの中央部から直線Ｇ側へ突出するように一体形成された突片７ｄに設けれられている。
【００２２】
手摺りホルダー７に設けられている手摺り杆取付用ロックピン１１は、図４の(c) 及び(d) に示すように、手摺りホルダー７に固着突設された所要長さのピン本体１１ａと、このピン本体１１ａにバネ（図示せず）を介して内装されていて、ピン本体１１ａの一側面から常時突出する略三角形状のストッパー片１１ｂとからなる周知構造のもので、手摺り杆８のピン嵌挿孔１２を嵌挿する時は、図４の(d) に示す状態からピン本体１１ａの先端部に手摺り杆８のピン嵌挿孔１２を嵌挿すると、その嵌挿途上でストッパー片１１ｂが引っ込み、ピン嵌挿孔１２がピン本体１１ａの根元側まで嵌挿すると、ストッパー片１１ｂがバネの付勢力で突出付勢してロックされ、抜け出しが阻止される。
【００２３】
各建枠１の縦材２に突設されている交差筋違い取付用ロックピン９は、上述した手摺りホルダー７の手摺り杆取付用ロックピン１１と同じ構造のものである。つまり、手摺りホルダー７の手摺り杆取付用ロックピン１１には、建枠１の縦材２に突設されている交差筋違い取付用ロックピン９と同じ構造のものが使用される。
【００２４】
この実施形態の手摺りホルダー７では、ホルダー７の上下各端部７ａ，７ｂに、建枠１の縦材２の上下端部に突設された交差筋違い取付用ロックピン９に嵌挿可能なピン嵌挿孔１０を上下に２つずつ設けているが、これは、現在一般的に使用されている建枠１には、縦材２の上下両端部に突設された交差筋違い取付用ロックピン９の取付位置が比較的高いものと低いものとの２種類があることから、その高さの異なる２種類の建枠１に適用できるようにしたものである。
【００２５】
即ち、図５の（ａ−１）は縦材２の上下両端部に突設された交差筋違い取付用ロックピン９の取付位置が比較的高いＡタイプの建枠１（Ａ）の正面図を示し、（ａ−２）はその側面図を示し、そして図５の（ｂ−１）は交差筋違い取付用ロックピン９の取付位置が比較的低いＢタイプの建枠１（Ｂ）の正面図を示し、（ｂ−２）はその側面図を示す。しかて、Ａタイプの建枠１（Ａ）の場合には、縦材２の上下各端部にある上下２つのピン嵌挿孔１０の上側のピン嵌挿孔１０に交差筋違い取付用ロックピン９を嵌挿し、Ｂタイプの建枠１（Ｂ）の場合は、その下側のピン嵌挿孔１０にロックピン９を嵌挿すればよい。この実施形態では、Ａ，Ｂの２種類の建枠１に適用できるようにホルダー７の上下各端部７ａ，７ｂにピン嵌挿孔１０を上下に２つずつ設けているが、ホルダー７の上下各端部７ａ，７ｂに夫々２つ以上のピン嵌挿孔１０を設けるようにすれば、ロックピン取付位置の異なる２種類以上の建枠１に適用可能となる。尚、Ａタイプの建枠１（Ａ）は、図１〜図３に示す建枠１と同じタイプのものである。
【００２６】
上記のように構成される枠組足場用手摺りＴの取付けにあたっては、隣り合う両建枠１，１の対向する両縦材２，２の交差筋違い取付用ロックピン９，９間に交差筋違い５を取り付けた後、隣り合う両建枠１，１の各縦材２の上下両端部の交差筋違い取付用ロックピン９に手摺りホルダー７の上下両端部のピン嵌挿孔１０，１０を嵌挿して、この手摺りホルダー７を各縦材２に取り付ける。尚、縦材２の各交差筋違い取付用ロックピン９には、図２から分かるように双方の交差筋違い５，５の端部どうしが重なり合うように取り付けられる。
【００２７】
しかして、隣り合う手摺りホルダー７，７の水平方向に対向する手摺り杆取付用ロックピン１１，１１に手摺り杆８の両端部のピン嵌挿孔１２，１２を嵌挿することにより、図１に示すように、手摺りホルダー７，７間に手摺り杆８を上下２段に水平に掛け渡して、枠組足場用手摺りＴを取り付けることができる。この場合も、各手摺りホルダー７の手摺り杆取付用ロックピン１１には、図２及び図３から分かるように、一方の手摺りＴの上下各手摺り杆８の端部８ａと他方の手摺りＴの上下各手摺り杆８の端部８ａとが重なり合うように取り付けられる。
【００２８】
上記のように隣り合う建枠１，１の手摺りホルダー７，７間に手摺り杆８を上下２段に水平に掛け渡して枠組足場用手摺りＴを取り付けることにより、図７(a) に示すように、上段側の手摺り杆８が、足場板６上に立っている作業者の概ね腰の位置に設置されると共に、下段側の手摺り杆８が、同作業者の概ね膝の位置に設置されるから、作業者が足場板６の上で立ったままで作業する時も、また中腰になって作業をする時にも墜落するおそれがなくなり、作業の安全を図ることができる。
【００２９】
この実施形態では、手摺りホルダー７の手摺り杆取付用ロックピン１１を、手摺りホルダー７の中間部と下端部の２箇所に突設して、隣り合う建枠１，１の手摺りホルダー７，７間に手摺り杆８を上下２段に掛け渡すようにしているが、手摺り杆取付用ロックピン１１を手摺りホルダー７の中間所要部の１箇所に突設して、隣り合う建枠１，１の手摺りホルダー７，７間に手摺り杆８を１本だけ掛け渡すようにしてもよいし、また手摺り杆取付用ロックピン１１を手摺りホルダー７の３箇所突設して、手摺り杆８を３段に掛け渡してもよい。
【００３０】
図６は鋼板で予め所定幅の帯状に形成した帯状プレート材を曲げ加工することによって形成した手摺りホルダー７を示したもので、枠組足場への取付時に、建枠１の補強材４，４ａに当接しないように手摺りホルダー７の中間部７ｃ付近が上下両端部７ａ，７ｂに対し側方へ湾曲して回避した形状としている。また、中間部７ｃの中央部位７ｏは、手摺り杆取付用ロックピン１１を突設することから、手摺りホルダー７の上端部７ａにあるピン嵌挿孔１０と下端部７ｂにあるピン嵌挿孔１０とを結ぶ直線Ｇ側へ戻るように湾曲させている。
【００３１】
このように手摺りホルダー７を、帯状プレート材を曲げ加工して形成することにより、図４に示すように鋼板を切断加工して形成する場合に比べ、製作コストを格段に安くすることができる。
【図面の簡単な説明】
【００３２】
【図１】本発明に係る枠組足場用手摺りを枠組足場の隣り合う建枠間に取り付けた状態を足場の内側から見た正面図である。
【図２】図１の一部拡大正面図である。
【図３】図２のＶ−Ｖ線断面図である。
【図４】(a) は手摺りホルダーの拡大正面図、(b) は側面図、(c) は(a) の矢印イで示す部分の拡大図、(d) は(b) の矢印ロで示す部分の拡大図である。
【図５】（ａ−１）は縦材の上下両端部に突設された交差筋違い取付用ロックピンの取付位置が比較的高いＡタイプの建枠の正面図、（ａ−２）は側面図、（ｂ−１）は交差筋違い取付用ロックピンの取付位置が比較的低いＢタイプの建枠の正面図、（ｂ−２）は側面図を示す。
【図６】(a) は金属帯状プレート材を曲げ加工して形成した手摺りホルダーの正面図、(b) は側面図である。
【図７】(a) は本発明に係る枠組足場用手摺りを枠組足場に取り付けた状態の正面図、(b) は従来の枠組足場を示す正面図である。
【符号の説明】
【００３３】
１              建枠
２              縦材
３              横材
４              補強材
４ａ            補強材
６              足場板
７              手摺りホルダー
８              手摺り杆
９              交差筋違い取付用ロックピン
１０            ピン嵌挿孔
１１            手摺り杆取付用ロックピン
１２            ピン嵌挿孔
【図１】
2007224574.tif 000003
【図２】
2007224574.tif 000004
【図３】
2007224574.tif 000005
【図４】
2007224574.tif 000006
【図５】
2007224574.tif 000007
【図６】
2007224574.tif 000008
【図７】
2007224574.tif 000009